(57)【要約】【課題】接着せずにクッション層を形成し、起毛の復元が早く、凹凸を吸収しシナヤカな感触で、吸音効果の高いカーペットとその基布を提供する。【解決手段】重ね合わせた発泡プラスチック（ポリウレタンフォーム）シートＴ１　、補強基布（ポリプロピレンの平織り）Ｔ２　、繊維集合シート（ポリエステル不織布）Ｔ３　に、繊維集合シートＴ３　側からニードルパンチングを施して繊維集合シートＴ３　の繊維を、補強基布Ｔ２　と発泡プラスチックシートＴ１　に絡ませ一体化してカーペット用基布Ｔとする。このカーペット用基布ＴにポリエステルヤーンＹをタフティングしてこの発明に係るカーペットを得る。【選択図】　図１
2004105458.tif 000002
【特許請求の範囲】
【請求項１】
発泡プラスチックシートに補強基布と繊維集合シートとを順次重ね合わせ、上記繊維集合シートの繊維を、上記補強基布と発泡プラスチックシートに絡ませて一体化してなるカーペット用基布。
【請求項２】
上記発泡プラスチックシートとしてポリウレタンフォームを採用したものである請求項１に記載のカーペット用基布。
【請求項３】
上記補強基布としてポリプロピレンテープヤーンまたはポリエステルテープヤーンの平織りを採用したものである請求項１または２に記載のカーペット用基布。
【請求項４】
上記繊維集合シートとして綿を平たく敷き延べたもの、または不織布を採用したものである請求項１乃至３のいずれかに記載のカーペット用基布。
【請求項５】
上記綿または不織布の素材をポリエステルとしたものである請求項１乃至４のいずれかに記載のカーペット用基布。
【請求項６】
上記１乃至５のいずれかに記載のカーペット用基布の繊維集合シート側をバックステッチ面としてタフトヤーンをタフティングしてなるカーペット。
【発明の詳細な説明】
【０００１】
【発明の属する技術分野】
この発明は、カーペット用の基布と、その基布を用いたカーペットに関する。
【０００２】
【従来の技術】
一般的なカーペットは、ポリプロピレンのテープヤーンを平織りした補強基布とポリエステル不織布とを重ね合わせ、不織布側から公知のパンチング処理を施して不織布の繊維を上記補強基布に絡ませて一体化した基布にポリエステルヤーンをタフティングしてなるものである。
【０００３】
【特許文献１】
特開平１１−６１６２９号（第１ページの要約、図１）
【特許文献２】
特開昭６２−１２０８０８号（特許請求の範囲、第１〜４図）
【特許文献３】
特開２００２−１０３４９６号（第１ページの要約、図１）。
【０００４】
特許文献１では、上記一般的なカーペットのバックステッチ側に発泡アクリルエマルジョン層を配し、タフテッドヤーンの抜糸強度を向上させたものが提案されている。
【０００５】
また、特許文献２では、ポリウレタンフォームの如き発泡シートに不織布を重ね合わせ、パンチングにより不織布の繊維を絡ませて一体化したクッション材が提案されている。
【０００６】
さらに、特許文献３では、高発泡樹脂層１２に繊維集合体層１１を重ね合わせ、その繊維２１をニードルパンチによって発泡樹脂層１２に差し込み、発泡樹脂層１２の表面に立毛層２１を形成し、繊維集合体層１２が一体になった２層積層構造の貼合用基布（第１基布）２２を調整する。その貼合用基布２２の立毛層２１を第２基布１３に向けて、第１基布２２と第２基布１３を接着剤２３を介して貼り合わせてなる貼合用基布と貼合基布１４が提案されている（図２参照）。
【０００７】
【発明が解決しようとする課題】
上記従来技術の内、一般的なカーペットは、▲１▼タフテッドヤーンが抜けやすい。▲２▼長期使用あるいはカーペット上に荷重が掛かり続けると起毛（ループ）寝てしまう。▲３▼クッション層がないためにカーペットの裏側に何らかの異物があるときは、異物の存在が足の裏に伝わり違和を感ずる。▲４▼カーペットの起毛（ループ）のシナヤカさが不十分である。▲５▼吸音効果が不十分。などの問題がある。
【０００８】
また、特許文献１は、タフテッドヤーンの抜糸強度を強化した点、特許文献２は、不織布の繊維をウレタンフォームに絡ませて一体化したクッション性を向上させた点、特許文献３は、特許文献２の技術と同様、繊維集合体とウレタンフォームとをパンチングにより一体化し（１次基布）てクッション性を向上させた点の改良は認められるが、これらの改良点は個々・別々のもので総合的に改良したものではなく、かつ、改良の度合いも満足できるものではない。
【０００９】
そこでこの発明は、（ａ）長期間の使用あるいはカーペット上に荷重が掛かり続けても起毛（ループ）寝てしまわないこと、（ｂ）カーペット敷いたとき裏側にある異物（例えばホットカーペットのヒーター線）や凹凸が足の裏に伝わらないこと、（ｃ）使用したときにシナヤカな感触が得られること、（ｄ）吸音効果が良好であること等を総合的に解決し、かつ、（ｅ）接着剤と接着工程を必要とせずに、上記（ａ）から（ｄ）を満足できるカーペット用基布とカーペットを提供することを課題とする。
【００１０】
【課題を解決するための手段】
上記課題を解決するためにこの発明は、発泡プラスチックシートに補強基布と繊維集合シートを順次重ね合わせ、上記繊維集合シートの繊維を上記補強基布と発泡プラスチックシートに絡ませて一体化してなる構成としたもの（請求項１）であり、上記発泡プラスチックシートとしてポリウレタンフォームを採用したもの（請求項２）、上記補強基布としてポリプロピレンテープヤーンまたはポリエステルテープヤーンの平織りを採用したもの（請求項３）、上記繊維集合シートとして、綿を平たく敷き延べたもの、または不織布を採用したもの（請求項４）、上記綿または不織布の繊維にポリエステルを採用したもの（請求項５）である。
【００１１】
また、上記の如く構成したカーペット用基布の繊維集合シート側をバックステッチ面としてタフトヤーンをタフティングしてなる（請求項６）構成としたものである。
【００１２】
上記の如く構成するこの発明のカーペット用基布は、繊維集合シートの繊維が補強基布と発泡プラスチックシートに絡んで一体化したものであるから、接着剤と接着工程を必要とせず、このカーペット用基布の繊維集合シート側をバックステッチ面として、タフトヤーンをタフティングするとシナヤカな感触と、クッション性、起毛（ループ）の復元性、吸音性の良好なカーペットが得られる。
【００１３】
タフティングされたヤーンは繊維集合シートと補強基布並びに発泡プラスチックシートで支持されている。とりわけ、起毛（ループ）の付け根部分が弾力性の良い発泡プラスチックシートに取り巻かれているので、起毛（ループ）がシナヤカに起伏するので良好な感触が得られ、押圧力が取り除かれると速やかに起毛（ループ）が復元する。
【００１４】
上記のように起毛（ループ）を支持することによりカーペットのクッション性が助長されて、ホットカーペットに適用したときは、ヒーター線の存在が全く感じられない良好な感触が得られる。
【００１５】
【発明の実施の形態】
次にこの発明の実施形態を図面を参照しながら説明する。図１は、この発明に係るカーペット用基布の製造工程の説明図で、図２は、同カーペット用基布の部分拡大断面図である。
【００１６】
サプライＳ１　，Ｓ２　，Ｓ３　から繰り出された発泡プラスチックシートＴ１　と補強基布Ｔ２　と集合繊維シートＴ３　とは順次重ね合わされながら進行し、図示しないバックアップテーブルを通過する間にニードルパンチング（高圧水噴射によるパンチなども採用できる）Ｐが施されて集合繊維シートＴ３　の繊維が補強基布Ｔ２　とプラスチック発泡シートＴ１　内に絡み込み一体化されてこの発明に係るカーペット用基布Ｔが得られる。
【００１７】
上記の如くして得たカーペット用基布Ｔの繊維集合シートＴ３　側をバックステッチ面としてポリエステルヤーン（タフトヤーン）Ｙをタフティングして発泡プラスチックシートＴ１　側にループＲを形成するか、このループをカットして起毛Ｗを形成してこの発明に係るカーペットＣを得る。
【００１８】
【実施例】
次に、この発明の実施例を説明する。サプライＳ１　に厚さ５ｍｍのポリウレタンフォームシートＴ１　を、サプライＳ２　にポリプロピレンテープヤーンを平織りした補強基布Ｔ２　を、サプライＳ３　に厚さ２ｍｍのポリエステル不織布Ｔ３　をセットして繰り出し、図示しないバックアップテーブル上でニードルパンチングＰを施してポリエステル不織布Ｔ３　の繊維を補強基布Ｔ２　とポリウレタンフォームシートＴ１　に絡ませ一体化してこの発明に係るカーペット用基布Ｔを得る。
【００１９】
次いで、カーペット用基布Ｔのポリエステル不織布側をバックストレッチ面としてポリエステルヤーンＹをタフティングしてポリウレタンフォーム側に高さ５ｍｍのループＲを形成して第一実施例のカーペットを得る。
【００２０】
また、上記ループＲを７ｍｍになるようにポリエステルヤーンＹをタフティングし、形成されたループをカットして毛足の長さ６ｍｍの起毛Ｗを形成して第二実施例のカーペットを得る。
【００２１】
上記実施例では、発泡プラスチックシートにポリウレタンフォームを採用したがこれに限ることはなく、ポリウレタンフォームと同等の特性を有するものを適宜採用することができる。
【００２２】
補強基布にポリプロピレンテープヤーンを平織りしたものを採用したが、ポリエステルテープヤーンの平織りの他、同等の特性が得られるもの、用向きにあった材質、織り方の基布を適宜採用することができる。
【００２３】
繊維集合シートにポリエステル不織布を採用したが、ポリエステル綿を引き延べたもの、天然綿、その他の合成繊維綿を適宜採用することができる。
【００２４】
また、タフトヤーンにポリエステルヤーンを採用したが、他の合成繊維のヤーン、天然繊維のヤーンを採用することができる。
【００２５】
なお、タフティングしたヤーンの抜糸を防止する手段として、バックステッチ側にエマルジョン樹脂を塗布するなど公知の手段により耐抜糸処理を施すこともできる。
【００２６】
【比較例】
特開２００２−１０３４９６号の技術に従って第一比較例のカーペット（図２）を得る。
【００２７】
厚さ２ｍｍのポリエステル不織布に補強基布を重ねニードルパンチングを施して基布とし、この基布に不織布側をバックステッチ面としてポリエステルヤーンをタフティングして高さ４ｍｍのループを形成して第二比較例のカーペットを得る。
【００２８】
上記ループをカットして毛足の長さ６ｍｍの起毛を形成して第三比較例のカーペットを得る。
【００２９】
上記各実施例と各比較例のカーペットからサンプルを採取して、感触のシナヤカさ、起毛（ループ）の復元性、ホットカーペットに適用したときヒーター線の存在が足裏に感じるか否かの試験を行った結果を表１に示し、吸音効果の試験結果を図３に示す。
【００３０】
吸音効果の試験は、ＡＳＴＭ　（Ａｍｅｒｉｃａｎ　Ｓｏｃｉｅｔｙ　ｏｆ　Ｔｅｓｔｉｎｇ　Ｍａｔｅｒｉａｌｓ）−１０５０に準拠し、テストパイプ中に、実施例１，２と比較例２のサンプルをセットし、サンプルの起毛（ループ）側から発振器により１００デシベル×２乃至６４００ヘルツの音波をを発信し、反対側に設置した計測マイクロフォンで吸音率を測定した。なお、図中Ｘ軸は吸音率、Ｙ軸は周波数で、曲線１は実施例１の、曲線２は実施例２の、曲線３は比較例２の周波数−吸音率曲線である。
【００３１】
【表１】
2004105458.tif 000003
【００３２】
【発明の効果】
以上説明したようにこの発明によれば、タフティングされたヤーンの起毛（ループ）が繊維集合シート（ポリエステル不織布）、補強基布およびポリウレタンフォームの三層によって支持されているので、長期使用や荷重により起毛（ループ）が寝てしまうことがなく、特に弾力性のあるポリウレタンフォームに支持されて使用時の感触がシナヤカで、ホットカーペットのヒーター線の存在を全く感じさせず、吸音・遮音効果も抜群であり、これらの特性を有するカーペットが接着剤と接着工程なしで得ることができる。
【図面の簡単な説明】
【図１】（ａ）この発明に係るカーペット用基布の製造説明図
（ｂ）同カーペット用基布の断面図
（ｃ）この発明に係るカーペットの断面図
【図２】従来のクッション層を有するカーペットの断面図
【図３】吸音効果特性図
【符号の説明】
Ｃ　カーペット
Ｐ　ニードルパンチング
Ｒ　ループ
Ｓ１　，Ｓ２　，Ｓ３　　サプライ
Ｔ１　　発泡プラスチックシート（ポリウレタンフォーム）
Ｔ２　　補強基布（ＰＰテープヤーンの平織り）
Ｔ３　　繊維集合シート（ポリエステル不織布）
Ｔ　カーペット用基布
Ｗ　起毛
Ｙ　ポリエステルヤーン
【図１】
2004105458.tif 000004
【図２】
2004105458.tif 000005
【図３】
2004105458.tif 000006